(57)【要約】【課題】本発明は、データを同期的に伝送することができるネットワーク設備及びそのデータ同期伝送方法を提供する。【解決手段】本発明に係る１＋１冗長構築を採用するネットワーク設備は、メイン・ボード及びバックアップ・ボードを備え、前記メイン・ボードは、端末設備に通信接続されており、前記端末設備から送信する複数のデータを受信し、且つ処理することに用いられ、前記バックアップ・ボードは、前記端末設備及び前記メイン・ボードに通信接続されており、前記メイン・ボードから送信する複数のデータを受信してバックアップを行い、且つ前記メイン・ボードと一緒に同じ状態で前記データを処理する。本発明は、更に前記ネットワーク設備に用いられるデータ同期伝送方法を提供する。【選択図】図２
2008141729.tif 000002
【特許請求の範囲】
【請求項１】
１＋１冗長構築を採用し、
端末設備に通信接続されており、前記端末設備から送信する複数のデータを受信し、且つ処理するメイン・ボードと、
前記端末設備に通信接続されており、前記端末設備から送信する前記データを受信し、且つ前記データを送信するメイン・プロセッサーと、
前記メイン・プロセッサーに通信接続されており、前記メイン・プロセッサーから送信する複数のデータを受信し、且つ受信した前後順序によって、前記データを配列し、予め設定した原則に基づいて、前記データを送信するメイン序列処理モジュールと、
前記端末設備及び前記メイン・ボードに通信接続されており、前記メイン・ボードから送信する複数のデータを受信してバックアップを行い、且つ前記メイン・ボードと一緒に同じ状態で前記データを処理するスタンド・バイ・ボードと、
前記メイン・プロセッサーに通信接続されており、前記メイン・プロセッサーから送信する前記データを受信し、且つ受信した前後順序によって、前記データを配列し、前記予め設定した原則に基づいて、受信したデータを送信するスタンド・バイ序列伝送モジュールと、  
前記メイン・ボード及び前記スタンド・バイ序列伝送モジュールに通信接続されており、前記スタンド・バイ序列伝送モジュールから伝送する前記データを受信し、且つ受信した前記データを送信するスタンド・バイ・プロセッサーと、
前記スタンド・バイ・プロセッサーに通信接続されており、前記スタンド・バイ・プロセッサーから送信する前記データを受信し、且つ受信した前後順序によって、前記データを配列し、前記予め設定した原則に基づいて、前記データを送信するスタンド・バイ序列処理モジュールと、
を備えることを特徴とするネットワーク設備。
【請求項２】
前記スタンド・バイ・プロセッサーは、又前記端末設備から送信する複数のデータを受信し、且つ前記データを送信することを特徴とする請求項１に記載のネットワーク設備。
【請求項３】
前記メイン・ボードは、更に前記メイン・プロセッサー及び前記スタンド・バイ・プロセッサーに通信接続されており、前記スタンド・バイ・プロセッサーから送信する複数のデータを受信し、且つ受信した前後順序によって、前記データを配列し、前記予め設定した原則に基づいて、前記データを前記メイン・プロセッサーに送信するメイン序列伝送モジュールを備えることを特徴とする請求項２に記載のネットワーク設備。
【請求項４】
前記メイン・プロセッサーは、又前記メイン序列伝送モジュールから送信する前記データを送信することを特徴とする請求項３に記載のネットワーク設備。
【請求項５】
前記メイン・ボードは、更に前記メイン序列処理モジュールに通信接続されており、前記メイン序列処理モジュールから送信する複数のデータを受信し、且つ前記データを処理するメイン状態機械モジュールを備えることを特徴とする請求項１に記載のネットワーク設備。
【請求項６】
前記メイン状態機械モジュールは、又前記メイン・ボードの作動状態をスイッチする同期スイッチ制御信号を生成し、前記メイン・ボードは、スイッチした後の状態を前記端末設備に送信することを特徴とする請求項５に記載のネットワーク設備。
【請求項７】
前記スタンド・バイ・ボードは、更に前記スタンド・バイ・序列処理モジュールに通信接続されており、前記スタンド・バイ・序列処理モジュールから送信する複数のデータを受信し、且つ前記メイン・ボードと一緒に同じ状態で前記データを処理するスタンド・バイ状態機械モジュールを備えることを特徴とする請求項１に記載のネットワーク設備。
【請求項８】
前記スタンド・バイ状態機械モジュールは、又前記スタンド・バイ・ボードのバックアップ状態をスイッチする同期スイッチ制御信号及び新しいプロトコル信号を生成し、前記スタンド・バイ・ボードは、スイッチした後の状態及び新しいプロトコル信号を前記端末設備に送信することを特徴とする請求項７に記載のネットワーク設備。
【請求項９】
前記予め設定した原則は、ファースト・イン・ファースト・アウト原則であることを特徴とする請求項１に記載のネットワーク設備。
【請求項１０】
前記メイン・ボードと前記スタンド・バイ・ボードは、前記端末設備から送信する前記データを同時に受信することができることを特徴とする請求項１に記載のネットワーク設備。
【請求項１１】
１＋１冗長構築を採用するネットワーク設備に用いられ、
メイン・プロセッサーを介して、複数のデータを受信するステップと、
受信した前記データをスタンド・バイ序列伝送モジュール及びメイン序列処理モジュールに送信するステップと、
前記メイン序列処理モジュールは、受信した前後順序によって、前記データを配列し、且つ予め設定した原則に基づいて、前記データをメイン状態機械モジュールに送信するステップと、
前記スタンド・バイ序列伝送モジュールは、受信した前後順序によって、前記データを配列し、且つ予め設定した原則に基づいて、前記データを前記スタンド・バイ・プロセッサーに送信し、前記スタンド・バイ序列処理モジュールに送信させるステップと、
受信した前後順序によって、前記データを配列し、且つ予め設定した原則によって、前記データをスタンド・バイ状態機械モジュールに送信するステップと、
前記メイン状態機械モジュール及び前記スタンド・バイ状態機械モジュールは、同じ状態で前記データを処理するステップと、
を備えることを特徴とするデータ同期伝送方法。
【請求項１２】
前記予め設定した原則は、ファースト・イン・ファースト・アウト原則であることを特徴とする請求項１１に記載のデータ同期伝送方法。
【請求項１３】
前記メイン・プロセッサーにより複数のデータを受信するステップは、
前記スタンド・バイ・プロセッサーが前記端末設備から送信する複数のデータを受信するステップと、
受信した前記データをメイン序列伝送モジュールに送信するステップと、
受信した前後順序によって、前記データを配列し、且つ前記予め設定した原則に基づいて、前記データを前記メイン・プロセッサーに送信するステップと、
を備えることを特徴とする請求項１１に記載のデータ同期伝送方法。
【請求項１４】
前記メイン・プロセッサーにより複数のデータを受信するステップは、前記メイン・プロセッサーが前記端末設備から送信する複数のデータを受信するステップを備えることを特徴とする請求項１１に記載のデータ同期伝送方法。
【請求項１５】
前記同じ状態で前記データを処理するステップは、
前記メイン状態機械モジュールが前記データを受信し、且つ前記データを処理するステップと、
前記スタンド・バイ状態機械モジュールが前記データを受信し、前記メイン状態機械モジュールと一緒に同じ状態で前記データを処理するステップと、
を備えることを特徴とする請求項１１に記載のデータ同期伝送方法。
【請求項１６】
前記メイン状態機械モジュールが前記データを受信し、且つ前記データを処理するステップは、
同期スイッチ制御信号を生成するステップと、
前記メイン・ボードの作動状態をスイッチするステップと、
前記作動状態を前記端末設備に送信するステップと、
を備えることを特徴とする請求項１５に記載のデータ同期伝送方法。
【請求項１７】
前記スタンド・バイ状態機械モジュールが前記データを受信し、前記メイン状態機械モジュールと一緒に同じな状態で前記データを処理するステップは、
同期スイッチ制御信号及び新しいプロトコル信号を生成するステップと、
前記スタンド・バイ・ボードのバックアップ状態をスイッチするステップと、
前記バックアップ状態及び前記新しいプロトコル信号を前記端末設備に送信するステップと、
を備えることを特徴とする請求項１５に記載のデータ同期伝送方法。
【発明の詳細な説明】
【技術分野】
【０００１】
本発明は、ネットワーク設備に関するものであり、特に１＋１冗長構築を採用するネットワーク設備及びそのデータ同期伝送方法に関するものである。
【背景技術】
【０００２】
ネットワークの発展に伴って、ネットワーク設備の安定性問題が注目されるが、冗長構築を介して、ネットワーク設備の安定性問題を解決することができる。即ち、ネットワーク設備は、冗長構築を利用して、データに対してバックアップを行い、且つ前記ネットワーク設備に故障が発生した時、バックアップデータを運行して、正常な作動を回復する。
【０００３】
前記ネットワーク設備は、一般的に１＋１冗長構築を採用する。前記１＋１冗長構築は、メイン・ボード及びバックアップ・ボードを備え、前記メイン・ボードは、前記ネットワーク設備の正常な作動に用いられ、前記バックアップ・ボードは、前記ネットワーク設備が正常に作動する時、データをバックアップすることに用いられる。前記メイン・ボードと前記バックアップ・ボードは、メイン・コントロール・プロセッサー（ｍａｉｎ  ｃｏｎｔｒｏｌ  ｐｒｏｃｅｓｓｏｒ，ＭＣＰ）によって、データのバックアップを完成し、前記メイン・ボードに故障が発生した場合、前記バックアップ・ボードは、メイン・ボードの役割を発揮する。しかし、大量なデータをバックアップすることに随って、ＭＣＰの荷重を増加し、且つ最終的にデータの継続的な脱漏を招く。前記メイン・ボードと前記バックアップ・ボードが伝送するデータが同期でないため、前記メイン・ボードに故障が発生した場合、前記バックアップ・ボードと前記メイン・ボードが伝送するデータが同期でなくて、両者のデータ処理も同期でなくなり、最終的にネットワーク設備が安定に作動することができなくなる。
【発明の開示】
【発明が解決しようとする課題】
【０００４】
本発明の第一の目的は、前記課題を解決し、１＋１冗長構築を採用し、データを同期させて伝送するネットワーク設備を提供することである。
【０００５】
本発明の第二の目的は、前記課題を解決し、１＋１冗長構築において、データを同期させて伝送することに用いられる同期伝送方法を提供することである。
【課題を解決するための手段】
【０００６】
前記第一目的を達成するため、本発明に係る１＋１冗長構築を採用するネットワーク設備は、メイン・ボード及びスタンド・バイ・ボードを備える。前記メイン・ボードは、端末設備に通信接続されており、前記端末設備から送信する複数のデータを受信し、且つ処理することに用いられ、メイン・プロセッサー及びメイン序列処理モジュールを備える。前記メイン・プロセッサーは、前記端末設備に通信接続されており、前記端末設備から送信する前記データを受信し、且つ前記データを送信する。前記メイン序列処理モジュールは、前記メイン・プロセッサーに通信接続されており、前記メイン・プロセッサーから送信する前記データを受信し、且つ受信した前後順序によって、前記データを配列し、予め設定した原則に基づいて、前記データを送信する。
【０００７】
前記端末設備及び前記メイン・ボードに通信接続される前記スタンド・バイ・ボードは、スタンド・バイ・序列伝送モジュールと、スタンド・バイ・プロセッサー及びスタンド・バイ序列処理モジュールを備える。前記スタンド・バイ・ボードは、前記メイン・ボードから送信する前記データを受信してバックアップを行い、且つ前記メイン・ボードと一緒に同じ状態で前記データを処理する。前記スタンド・バイ序列伝送モジュールは、前記メイン・プロセッサーに通信接続されており、前記メイン・プロセッサーから送信する前記データを受信し、且つ受信した前後順序によって、受信したデータを配列し、前記予め設定した原則に基づいて、受信したデータを送信する。前記スタンド・バイ・プロセッサーは、前記メイン・ボード及び前記スタンド・バイ序列伝送モジュールに通信接続されており、前記スタンド・バイ序列伝送モジュールから伝送する前記データを受信し、且つ受信した前記データを送信する。前記スタンド・バイ序列処理モジュールは、前記スタンド・バイ・プロセッサーに通信接続されており、前記スタンド・バイ・プロセッサーから送信する前記データを受信し、且つ受信した前後順序によって、受信したデータを配列し、前記予め設定した原則に基づいて、前記データを送信する。
【０００８】
前記第二目的を達成するため、本発明に係る１＋１冗長構築を採用するネットワーク設備に用いられるデータ同期伝送方法は、メイン・プロセッサーにより複数のデータを受信するステップと、受信した前記データをスタンド・バイ序列伝送モジュール及びメイン序列処理モジュールに送信するステップと、前記メイン序列処理モジュールは、受信した前後順序によって、前記データを配列し、且つ予め設定した原則に基づいて、前記データをメイン状態機械モジュールに送信するステップと、前記スタンド・バイ序列伝送モジュールは、受信した前後順序によって、前記データを配列し、且つ予め設定した原則に基づいて、前記データを前記スタンド・バイ・プロセッサーに送信し、前記スタンド・バイ序列処理モジュールに送信させるステップと、受信した前後順序によって、前記データを配列し、且つ予め設定した原則によって、前記データをスタンド・バイ状態機械モジュールに送信するステップと、前記メイン状態機械モジュール及び前記スタンド・バイ状態機械モジュールは、同じな状態で前記データを処理するステップを備える。
【発明の効果】
【０００９】
本発明のネットワーク設備及びそのデータ同期伝送方法において、メイン・ボードとスタンド・バイ・ボードは、同じ序列及び原則を採用してデータを伝送し、且つ同じ状態でデータを処理する。従って、データを同期に伝送し、データを伝送する過程でデータを脱漏する危険を減少し、ＭＣＰによってデータをバックアップする必要がなく、ＭＣＰの重荷を減少することができる。                
【発明を実施するための最良の形態】
【００１０】
図１は、本発明の実施形態に係わるネットワーク設備の応用環境図である。本実施形態において、ネットワーク設備１０は、端末設備２０に通信接続されており、前記端末設備２０から送信する複数のデータを受信し、且つ処理することに用いられ、前記データは、命令ライン・インタフェース命令２１と、プロトコル信号２２及び駆動事件（ドライバ・イベント）２３を備えるが、これらに限定されるものではない。本実施形態において、前記ネットワーク設備１０は、ゲートウエー（ｇａｔｅｗａｙ）である。
【００１１】
図２は、本発明の実施形態に係わるネットワーク設備１０の構成を示すブロック図である。本実施形態において、前記ネットワーク設備１０は、メイン・ボード１００とスタンド・バイ・ボード１１０を備える。本実施形態において、前記メイン・ボード１００は、仕事ボード（オペレーティング・ボード）であって、前記スタンド・バイ・ボード１１０は、バックアップ・ボードである。前記メイン・ボード１００は、端末設備２０に通信接続されており、前記端末設備２０から送信する複数のデータを受信し、且つ前記データを処理する。前記スタンド・バイ・ボード１１０は、前記端末設備２０及び前記メイン・ボード１００に通信接続されており、前記端末設備２０及び前記メイン・ボード１００から送信する複数のデータを受信して、バックアップを行い、且つ前記端末設備２０から送信する複数のデータを前記メイン・ボード１００に送信し、前記メイン・ボード１００と一緒に同じ状態で前記データを処理する。
【００１２】
本実施形態において、前記端末設備２０は、ただプロトコル信号を前記スタンド・バイ・ボード１１０に送信するだけで、前記メイン・ボード１００には送信しない。しかし、前記メイン・ボード１００と前記スタンド・バイ・ボード１１０は、双方ともプロトコル信号２２を処理することができ、且つ前記プロトコル信号２２は、前記命令ライン・インタフェース命令２１又は駆動事件２３と一緒に処理されなければ、他の新しい信号を生成することができなく、即ち前記メイン・ボード１００と前記スタンド・バイ・ボード１１０は、前記プロトコル信号２２と前記命令ライン・インタフェース命令２１を一緒に処理するか、または前記プロトコル信号２２と前記駆動事件２３を一緒に処理しなければならない。本実施形態において、前記命令ライン・インタフェース命令２１は、ロックアウト命令、強制スイッチ命令、手動式スイッチ命令及び消去命令を備える。前記プロトコル信号２２は、ロックアウト保護信号、強制スイッチ信号、信号故障高優先級信号、信号故障低優先級信号、信号減衰高優先級信号、信号減衰低優先級信号、手動式スイッチ信号、回復待ち信号及び逆転請求信号を備える。前記駆動事件２３は、信号脱漏事件、フレーム脱漏事件、警告指示信号事件及びリモート欠陥指示事件を備える。  
【００１３】
本実施形態において、前記メイン・ボード１００は、前記端末設備２０から送信する命令ライン・インタフェース命令２１及び駆動事件２３を受信し、前記スタンド・バイ・ボード１１０は、前記端末設備２０から送信する命令ライン・インタフェース命令２１、プロトコル信号２２及び駆動事件２３を受信する。
【００１４】
前記メイン・ボード１００は、メイン・プロセッサー１０１と、メイン序列伝送モジュール１０２と、メイン序列処理モジュール１０３及びメイン状態機械モジュール１０４を備える。
【００１５】
前記メイン・プロセッサー１０１は、前記端末設備２０に通信接続されており、前記端末設備２０から送信する複数のデータを受信し、且つ前記データを前記スタンド・バイ・ボード１１０及び前記メイン序列処理モジュール１０３に送信する。本実施形態において、前記メイン・プロセッサー１０１は、前記端末設備２０から送信する命令ライン・インタフェース命令２１及び駆動事件２３を前記スタンド・バイ・ボード１１０及び前記メイン序列処理モジュール１０３に送信する。
【００１６】
前記メイン序列伝送モジュール１０２は、前記メイン・プロセッサー１０１及び前記スタンド・バイ・ボード１１０に通信接続されており、前記スタンド・バイ・ボード１１０から送信する複数のデータを受信し、且つ前記データを前記メイン・プロセッサー１０１に送信する。本実施形態において、前記メイン序列伝送モジュール１０２は、受信した前後順序によって、前記データを配列し、且つ予め設定した原則に基づいて、前記データを前記メイン・プロセッサー１０１に送信する。本実施形態において、前記予め設定した原則は、ファースト・イン・ファースト・アウト（ＦＩＦＯ）原則である。本実施形態において、前記スタンド・バイ・ボード１１０から送信する複数のデータは、命令ライン・インタフェース命令２１、プロトコル信号２２及び駆動事件２３を備える。本発明の他の実施形態において、前記メイン序列伝送モジュール１０２は、他の複数のデータを受信しても良い。
【００１７】
本実施形態において、前記メイン・プロセッサー１０１は、又前記メイン序列伝送モジュール１０２から送信する複数のデータを受信し、且つ前記データを前記メイン序列処理モジュール１０３及び前記スタンド・バイ・ボード１１０に送信する。本実施形態において、前記複数のデータは、命令ライン・インタフェース命令２１、プロトコル信号２２及び駆動事件２３を備える。
【００１８】
前記メイン序列処理モジュール１０３は、前記メイン・プロセッサー１０１に通信接続されており、前記記メイン・プロセッサー１０１から送信する複数のデータを受信し、受信した前後順序によって、前記データを配列し、且つ前記メイン序列伝送モジュール１０２と同じ予め設定した原則に基づいて、前記データを送信する。本実施形態において、前記メイン序列処理モジュール１０３は、前記メイン・プロセッサー１０１から送信する命令ライン・インタフェース命令２１、プロトコル信号２２及び駆動事件２３を受信する。
【００１９】
前記メイン状態機械モジュール１０４は、前記メイン序列処理モジュール１０３及び前記端末設備２０に通信接続されており、前記メイン序列処理モジュール１０３から送信する複数のデータを受信し、且つ前記データを処理する。本実施形態において、もし前記メイン状態機械モジュール１０４が受信した前記データにプロトコル信号２２を含むと、前記メイン状態機械モジュール１０４は、前記プロトコル信号２２と前記命令ライン・インタフェース命令２１を一緒に処理したり、又は前記プロトコル信号２２と前記駆動事件２３を一緒に処理したり、又は前記プロトコル信号２２と前記命令ライン・インタフェース命令２１及び前記駆動事件２３を一緒に処理する。本実施形態において、前記メイン状態機械モジュール１０４は、又同期スイッチ制御信号を生成し、前記同期スイッチ制御信号は、前記メイン・ボード１００の作動状態をスイッチすることに用いられる。前記メイン・ボード１００は、スイッチした後の状態を前記端末設備２０に送信し、前記端末設備２０と続いて通信を行う。
【００２０】
前記スタンド・バイ・ボード１１０は、スタンド・バイ・プロセッサー１１１と、スタンド・バイ序列伝送モジュール１１２と、スタンド・バイ序列処理モジュール１１３及びスタンド・バイ状態機械モジュール１１４を備える。
【００２１】
前記スタンド・バイ・プロセッサー１１１は、前記端末設備２０及び前記メイン序列伝送モジュール１０２に通信接続されており、前記端末設備２０から送信する複数のデータを受信し、且つ前記データを前記メイン序列伝送モジュール１０２に送信する。本実施形態において、前記スタンド・バイ・プロセッサー１１１は、前記端末設備２０から送信する命令ライン・インタフェース命令２１、プロトコル信号２２及び駆動事件２３を受信する。
【００２２】
前記スタンド・バイ序列伝送モジュール１１２は、前記スタンド・バイ・プロセッサー１１１及び前記メイン・プロセッサー１０１に通信接続されており、前記メイン・プロセッサー１０１から送信する複数のデータを受信し、且つ前記データを前記スタンド・バイ・プロセッサー１１１に送信する。本実施形態において、前記スタンド・バイ序列伝送モジュール１１２は、受信した前後順序によって、前記データを配列し、且つ前記メイン序列伝送モジュール１０２と同じ予め設定した原則に基づいて、前記データを前記スタンド・バイ・プロセッサー１１１に送信する。本発明の他の実施形態において、前記スタンド・バイ序列伝送モジュール１１２は、他の複数のデータを受信することができる。
【００２３】
本実施形態において、前記スタンド・バイ・プロセッサー１１１は、又前記スタンド・バイ序列伝送モジュール１１２から送信する前記データを受信する。
【００２４】
前記スタンド・バイ・序列処理モジュール１１３は、前記スタンド・バイ・プロセッサー１１１に通信接続されており、前記スタンド・バイ・プロセッサー１１１から送信する複数のデータを受信し、受信した前後順序によって、前記データを配列し、且つ前記メイン序列伝送モジュール１０２と同じ予め設定した原則に基づいて、前記データを送信する。本実施形態において、前記スタンド・バイ・序列処理モジュール１１３は、前記スタンド・バイ・プロセッサー１１１から送信する命令ライン・インタフェース命令２１、プロトコル信号２２及び駆動事件２３を受信する。
【００２５】
前記スタンド・バイ状態機械モジュール１１４は、前記スタンド・バイ・序列処理モジュール１１３及び前記端末設備２０に通信接続されており、前記スタンド・バイ・序列処理モジュール１１３から送信する複数のデータを受信し、且つ前記メイン・ボード１００のメイン状態機械モジュール１０４と一緒に同じ状態で受信した前記データを処理する。本実施形態において、もし前記スタンド・バイ状態機械モジュール１１４が受信した前記データにプロトコル信号２２を含むと、前記スタンド・バイ状態機械モジュール１１４は、前記プロトコル信号２２と前記命令ライン・インタフェース命令２１を一緒に処理したり、又は前記プロトコル信号２２と前記駆動事件２３を一緒に処理したり、又は前記プロトコル信号２２と前記命令ライン・インタフェース命令２１及び前記駆動事件２３を一緒に処理する。本実施形態において、前記スタンド・バイ状態機械モジュール１１４は、又同期スイッチ制御信号及び新しいプロトコル信号を生成し、前記同期スイッチ制御信号は、前記スタンド・バイ・ボード１１０のバックアップ状態をスイッチすることに用いられる。前記スタンド・バイ・ボード１１０は、スイッチした後の状態及び新しいプロトコル信号を前記端末設備２０に送信し、前記端末設備２０と続いて通信を行う。
【００２６】
図３は、本発明の実施形態に係わるデータ同期伝送方法を示すフローチャートである。本実施形態において、メイン・ボード１００は、端末設備２０から送信する複数のデータを受信し、前記データを処理し、且つ前記データをスタンド・バイ・ボード１１０に送信する。
【００２７】
ステップＳ２００において、メイン・プロセッサー１０１は、端末設備２０から送信する複数のデータを受信する。本実施形態において、前記メイン・プロセッサー１０１は、前記端末設備２０から送信する命令ライン・インタフェース命令２１及び駆動事件２３を受信する。
【００２８】
ステップＳ２０２において、前記メイン・プロセッサー１０１は、受信した複数のデータをスタンド・バイ序列伝送モジュール１１２に送信するとともに、前記複数のデータをメイン序列処理モジュール１０３に送信し、且つ前記メイン序列処理モジュール１０３により、メイン状態機械モジュール１０４に送信する。本実施形態において、前記メイン序列処理モジュール１０３は、前記メイン・プロセッサー１０１から送信する前記データを受信し、受信した前後順序によって、前記データを配列し、且つ予め設定した原則に基づいて、前記データを前記メイン状態機械モジュール１０４に送信する。本実施形態において、前記予め設定した原則は、ＦＩＦＯ原則である。
【００２９】
ステップＳ２０４において、前記スタンド・バイ序列伝送モジュール１１２は、受信したデータをスタンド・バイ・プロセッサー１１１に送信する。本実施形態において、前記スタンド・バイ序列伝送モジュール１１２は、受信した前後順序によって、前記データを配列し、且つ前記メイン序列処理モジュール１０３と同じ予め設定した原則に基づいて、前記データを前記スタンド・バイ・プロセッサー１１１に送信する。
【００３０】
ステップＳ２０６において、前記スタンド・バイ・プロセッサー１１１は、受信したデータをスタンド・バイ・序列処理モジュール１１３に送信する。
【００３１】
ステップＳ２０８において、前記スタンド・バイ・序列処理モジュール１１３は、受信したデータをスタンド・バイ状態機械モジュール１１４に送信する。本実施形態において、前記スタンド・バイ・序列処理モジュール１１３は、前記スタンド・バイ・プロセッサー１１１から送信する前記データを受信し、受信した前後順序によって、前記データを配列し、且つ前記メイン序列処理モジュール１０３と同じ予め設定した原則に基づいて、前記データを前記スタンド・バイ状態機械モジュール１１４に送信する。
【００３２】
ステップＳ２１０において、前記メイン状態機械モジュール１０４と前記スタンド・バイ状態機械モジュール１１４は、同じ状態で受信した前記データを処理する。本実施形態において、前記メイン状態機械モジュール１０４は、同期スイッチ制御信号を生成し、前記同期スイッチ制御信号は、前記メイン・ボード１００の作動状態をスイッチすることに用いられる。前記メイン・ボード１００は、スイッチした後の状態を前記端末設備２０に送信する。前記スタンド・バイ状態機械モジュール１１４は、同期スイッチ制御信号及び新しいプロトコル信号を生成し、前記同期スイッチ制御信号は、前記スタンド・バイ・ボード１１０のバックアップ状態をスイッチすることに用いられる。前記スタンド・バイ・ボード１１０は、スイッチした後の状態及び新しいプロトコル信号を前記端末設備２０に送信する。
【００３３】
図４は、本発明の他の実施形態に係わるデータ同期伝送方法を示すフローチャートである。本実施形態において、スタンド・バイ・ボード１１０は、端末設備２０から送信する複数のデータを受信し、且つ前記データをメイン・ボード１００に送信し、それから再び前記メイン・ボード１００から前記データを受信する。
【００３４】
ステップＳ３００において、スタンド・バイ・プロセッサー１１１は、前記端末設備２０から送信する複数のデータを受信する。本実施形態において、前記スタンド・バイ・プロセッサー１１１は、前記端末設備２０から送信する命令ライン・インタフェース命令２１、プロトコル信号２２及び駆動事件２３を受信する。
【００３５】
ステップＳ３０２において、前記スタンド・バイ・プロセッサー１１１は、受信した複数のデータをメイン序列伝送モジュール１０２に送信する。
【００３６】
ステップＳ３０４において、前記メイン序列伝送モジュール１０２は、受信したデータをメイン・プロセッサー１０１に送信する。本実施形態において、前記メイン序列伝送モジュール１０２は、受信した前後順序によって、前記データを配列し、且つ予め設定した原則に基づいて、前記データを前記メイン・プロセッサー１０１に送信する。本実施形態において、前記予め設定した原則は、ＦＩＦＯ原則である。本実施形態において、前記メイン序列伝送モジュール１０２は、前記スタンド・バイ・プロセッサー１１１から送信する命令ライン・インタフェース命令２１、プロトコル信号２２及び駆動事件２３を受信する。本発明の他の実施形態において、前記メイン序列伝送モジュール１０２は、他の複数のデータを受信しても良い。
【００３７】
ステップＳ３０６において、前記メイン・プロセッサー１０１は、受信したデータをスタンド・バイ序列伝送モジュール１１２に送信するとともに、前記データをメイン序列処理モジュール１０３に送信し、且つ前記メイン序列処理モジュール１０３により、メイン状態機械モジュール１０４に送信する。本実施形態において、前記メイン序列処理モジュール１０３は、前記メイン・プロセッサー１０１から送信する複数のデータを受信し、受信した前後順序によって、前記データを配列し、且つ前記メイン序列伝送モジュール１０２と同じ予め設定した原則に基づいて、前記データを前記メイン状態機械モジュール１０４に送信する。
【００３８】
ステップＳ３０８において、前記スタンド・バイ序列伝送モジュール１１２は、受信したデータを、前記スタンド・バイ・プロセッサー１１１に送信する。本実施形態において、前記スタンド・バイ序列伝送モジュール１１２は、受信した前後順序によって、前記データを配列し、且つ前記メイン序列伝送モジュール１０２と同じ予め設定した原則に基づいて、前記データを前記スタンド・バイ・プロセッサー１１１に送信する。本実施形態において、前記スタンド・バイ・プロセッサー１１１は、前記スタンド・バイ序列伝送モジュール１１２から送信する命令ライン・インタフェース命令２１、プロトコル信号２２及び駆動事件２３を受信する。本発明の他の実施形態において、前記スタンド・バイ序列伝送モジュール１１２は、他の複数のデータを受信しても良い。
【００３９】
ステップＳ３１０において、前記スタンド・バイ・プロセッサー１１１は、受信したデータをスタンド・バイ・序列処理モジュール１１３に送信する。
【００４０】
ステップＳ３１２において、前記スタンド・バイ・序列処理モジュール１１３は、受信したデータをスタンド・バイ状態機械モジュール１１４に送信する。本実施形態において、前記スタンド・バイ・序列処理モジュール１１３は、前記スタンド・バイ・プロセッサー１１１から送信するデータを受信し、受信した前後順序によって、前記データを配列し、前記メイン序列伝送モジュール１０２と同じ予め設定した原則に基づいて、前記データを前記スタンド・バイ状態機械モジュール１１４に送信する。
【００４１】
ステップＳ３１４において、前記メイン状態機械モジュール１０４と前記スタンド・バイ状態機械モジュール１１４は、同じ状態で受信した前記データを処理する。本実施形態において、前記メイン状態機械モジュール１０４は、同期スイッチ制御信号を生成し、前記同期スイッチ制御信号は、前記メイン・ボード１００の作動状態をスイッチすることに用いられる。前記メイン・ボード１００は、スイッチした後の状態を前記端末設備２０に送信する。前記スタンド・バイ状態機械モジュール１１４は、同期スイッチ制御信号及び新しいプロトコル信号を生成し、前記同期スイッチ制御信号は、前記スタンド・バイ・ボード１１０のバックアップ状態をスイッチすることに用いられる。前記スタンド・バイ・ボード１１０は、スイッチした後の状態及び新しいプロトコル信号を前記端末設備２０に送信する。
【００４２】
本発明の他の実施形態において、前記メイン・プロセッサー１０１と前記スタンド・バイ・プロセッサー１１１は、前記端末設備２０から送信する複数のデータを同時に受信することができ、そうすると、図２及び図３に示すデータ同期伝送方法は、同時に行う。
【００４３】
本発明のネットワーク設備及びそのデータ同期伝送方法において、メイン・ボード１００とスタンド・バイ・ボード１１０は、同じ序列及び原則を採用して、データを伝送し、且つ同じ状態でデータを処理する。従って、データを同期に伝送し、データを伝送する過程でデータを脱漏する危険を減少し、ＭＣＰによってデータをバックアップする必要がなく、ＭＣＰの重荷を減少することができる。
【図面の簡単な説明】
【００４４】
【図１】本発明の実施形態に係わるネットワーク設備の応用環境図である。
【図２】本発明の実施形態に係わるネットワーク設備の構成を示すブロック図である。
【図３】本発明の実施形態に係わるデータ同期伝送方法を示すフローチャートである。
【図４】本発明の他の実施形態に係わるデータ同期伝送方法を示すフローチャートである。
【符号の説明】
【００４５】
１０  ネットワーク設備
２０  端末設備
２１  命令ライン・インタフェース命令
２２  プロトコル信号
２３  駆動事件
１００  メイン・ボード
１０１  メイン・プロセッサー
１０２  メイン序列伝送モジュール
１０３  メイン序列処理モジュール
１０４  メイン状態機械モジュール
１１０  スタンド・バイ・ボード
１１１  スタンド・バイ・プロセッサー
１１２  スタンド・バイ序列伝送モジュール
１１３  スタンド・バイ序列処理モジュール
１１４  スタンド・バイ状態機械モジュール
【図１】
2008141729.tif 000003
【図２】
2008141729.tif 000004
【図３】
2008141729.tif 000005
【図４】
2008141729.tif 000006